(57)【要約】【課題】１の電子文書の編集作業を行う際、各ユーザは各々の編集作業を行えるとともに、他のユーザの同時並行的な編集内容も併せて閲覧できる文書管理システム等を提供する。【解決手段】本発明に係る文書管理装置は、複数の端末から編集開始要求を受けると、電子文書の画像ファイルと作業用ファイルとを複数の端末毎に生成するレイヤファイル生成手段と、電子文書の画像ファイルと全ての端末毎の作業用ファイルとを合成し第１の表示用ファイルを生成する表示用ファイル生成手段と、第１の表示用ファイルを送信する送信手段と、更新データを受信すると更新要求元の端末の作業用ファイルを更新する作業用ファイル更新手段とを有し、表示用ファイル生成手段は、電子文書の画像ファイルと更新した作業用ファイルを含む全ての端末毎の作業用ファイルとを合成することにより第２の表示用ファイルを生成し、送信手段は、複数の端末に対し第２の表示用ファイルを送信する。【選択図】図１７
2012194625.tif 000002
【特許請求の範囲】
【請求項１】
電子文書に対し編集を行う複数の端末と接続され、文書蓄積部に蓄積された前記電子文書を管理する文書管理装置であって、
複数の端末から１の電子文書に対する編集開始要求を受けると、該電子文書の画像ファイルと、該電子文書の画像ファイルと同一の画像領域を有する作業用ファイルとを複数の端末毎に生成するレイヤファイル生成手段と、
前記電子文書の画像ファイルと、端末毎に対応付けた前記作業用ファイルとを記憶・管理するレイヤファイル管理手段と、
前記レイヤファイル管理手段により記憶・管理されている前記電子文書の画像ファイルと、全ての端末毎の前記作業用ファイルとを重畳して合成することにより、第１の表示用ファイルを生成する表示用ファイル生成手段と、
前記複数の端末に対し、生成した前記第１の表示用ファイルを送信する送信手段と、
いずれかの前記端末により前記第１の表示用ファイルの編集がなされ該端末から更新データを受信すると、更新要求元の端末と対応付けて記憶・管理している作業用ファイルに対し更新データを追加することにより、該作業用ファイルを更新する作業用ファイル更新手段と、
を有し、
前記表示用ファイル生成手段は、前記レイヤファイル管理手段により記憶・管理されている前記電子文書の画像ファイルと、前記作業用ファイル更新手段により更新した作業用ファイルを含む全ての端末毎の作業用ファイルとを重畳して合成することにより、第２の表示用ファイルを生成し、
前記送信手段は、前記複数の端末に対し、前記第２の表示用ファイルを送信すること、
を特徴とする文書管理装置。
【請求項２】
前記表示用ファイル生成手段は、前記電子文書の画像ファイルの画像領域と、全ての端末毎の前記作業用ファイルの画像領域とを重畳して合成することにより、全ての前記画像領域に描画された全画像を含む表示用ファイルを生成すること、
を特徴とする請求項１記載の文書管理装置。
【請求項３】
前記編集開始要求を行った前記複数の端末から１の前記電子文書に対する編集終了通知を受けると、前記レイヤファイル管理手段により記憶・管理されている前記電子文書の画像ファイルと、前記作業用ファイル更新手段により更新した作業用ファイルを含む全ての端末毎の作業用ファイルとを透過させて重ね合わせることにより、編集後の電子文書を生成し、該編集後の電子文書を前記１の電子文書に差換えて、前記文書蓄積部に保存する保存手段と、
を有することを特徴とする請求項１又は２記載の文書管理装置。
【請求項４】
前記保存手段は、前記レイヤファイル管理手段により記憶・管理されている前記電子文書の画像ファイルを前記文書蓄積部に保存し、さらに前記作業用ファイル更新手段により更新した作業用ファイルを含む全ての端末毎の作業用ファイルのそれぞれを端末毎に対応付けて前記文書蓄積部に保存し、
前記表示用ファイル生成手段は、前記文書蓄積部に保存されている該電子文書の画像ファイルと、いずれか１の端末に対応付けられた１の該作業用ファイルとを重畳して合成することにより、第３の表示用ファイルを生成し、
前記送信手段は、前記複数の端末に対し、前記第３の表示用ファイルを送信すること、
を特徴とする請求項３記載の文書管理装置。
【請求項５】
電子文書に対し編集を行う複数の端末と接続され、文書蓄積部に蓄積された前記電子文書を管理する文書管理装置における文書編集方法であって、
複数の端末から１の電子文書に対する編集開始要求を受けると、該電子文書の画像ファイルと、該電子文書の画像ファイルと同一の画像領域を有する作業用ファイルとを複数の端末毎に生成するレイヤファイル生成手順と、
前記電子文書の画像ファイルと、端末毎に対応付けた前記作業用ファイルとを記憶・管理するレイヤファイル管理手順と、
前記レイヤファイル管理手順により記憶・管理されている前記電子文書の画像ファイルと、全ての端末毎の前記作業用ファイルとを重畳して合成することにより、第１の表示用ファイルを生成する表示用ファイル生成手順と、
前記複数の端末に対し、生成した前記第１の表示用ファイルを送信する送信手順と、
いずれかの前記端末により前記第１の表示用ファイルの編集がなされ該端末から更新データを受信すると、更新要求元の端末と対応付けて記憶・管理している作業用ファイルに対し更新データを追加することにより、該作業用ファイルを更新する作業用ファイル更新手順と、
前記レイヤファイル管理手順により記憶・管理されている前記電子文書の画像ファイルと、前記作業用ファイル更新手順により更新した作業用ファイルを含む全ての端末毎の作業用ファイルとを重畳して合成することにより、第２の表示用ファイルを生成する第２の表示用ファイル生成手順と、
前記複数の端末に対し、前記第２の表示用ファイルを送信する第２の送信手順と、
有することを特徴とする文書編集方法。
【請求項６】
請求項５記載の文書編集方法をコンピュータに実行させるためのプログラム。
【発明の詳細な説明】
【技術分野】
【０００１】
本発明は、文書管理装置、文書編集方法及びプログラムの分野に関する。
【背景技術】
【０００２】
従来、会議の場においては、会議室の前方中央にはホワイトボードや黒板等が備え付けられており、発表者はホワイトボードに議題や会議内容をホワイトボードにペンを使って手書きで書き込みながら会議を進行してきた。また会議の参加者から発言があると、発表者やその発言者は、ホワイトボードにその内容をさらに書き込んでいく。またときに参加者はホワイトボードを見ながら議論を行い、またアイディアを出しながら、複数の参加者が同時並行的にホワイトボードに書き込みを行っていく。
【０００３】
近年ではコンピュータ化が進み、会議の場においても電子化が進んでいる。前方中央のホワイトボードは電子モニターにとって代わり、発表者はＰＣ端末の電子文書（電子ファイル）を電子モニターに投影するとともに、議題や会議内容をＰＣ端末の電子文書に書き込みながら会議を進行していく。また会議の参加者から発言があると、発表者やその発言者は、ＰＣ端末の電子文書にその内容をさらに書き込んでいく。
【０００４】
さらにまた、会議自体、電子会議によって行われるようにもなってきた。会議システムにて各端末（ＰＣ、携帯情報端末等）はネットワークを介して接続し、遠隔地の参加者は自身の端末を通じて会議を行う。参加者の端末には共有画面が表示されるとともに、発言・音声も伝わってくるので、参加者は共有画面に表示されている電子文書を見ながら会議を進行していく。また各参加者は自身の端末の共有画面に表示されている電子文書に対し、書き込み（更新等）を行うこともでき、この書き込み内容は全参加者の端末の共有画面の電子文書に反映される。
【０００５】
ここで、複数の参加者が、共有画面に表示されている１の電子文書に対し、共同で書き込みを行う場合、従来の文書管理システムでは、編集中に一時的または順番にユーザに編集権限を与え、それ以外のユーザの編集を排他する排他制御方法や、電子文書をファイル単位、ページ単位又は指定範囲で分割して、分割担当範囲ごとにチェックアウトして編集する方法を採用していることが知られている。
【０００６】
これに関する技術として、特許文献１には、文書共同編集の効率化と高信頼化を図る目的で、システムに登録されている文書を編集する際に、システムで文書の実体と更新情報を管理し、他ユーザがアクセスするときには最新状態の文書を表示し、他ユーザに一時的に更新権限を与えて文書を直接編集することで同時編集を可とする構成が開示されている。
【０００７】
また特許文献２には、文書編集の作業効率を高める目的で、作成中の文書を一定の条件により強制公開すると、権限に応じて作成者以外のユーザも文書の作成を可能とする構成が開示されている。
【発明の概要】
【発明が解決しようとする課題】
【０００８】
従来の文書管理システムは、電子文書を分担させたり、若干のタイムラグをおいて順番に作成・編集させるため、回覧的に会議資料を複数のユーザで作成・編集する場合など、作成・編集する内容が決まっている文書を回覧しつつ作成・編集していく作業を効率化するものではあった。しかしながら、ホワイトボードや紙文書で行うように、複数のユーザで同じ文書を閲覧しながら喧々諤々と議論しつつ、同時並行的に編集を加えていく作業を効率化するものではなかった。
【０００９】
例えば、遠隔地の参加者は共有画面に表示されている電子文書を見ながら議論を行い、またアイディアを出しながら同時並行的に電子文書に編集を加えていくような電子会議の場面においては、上述の従来の方法では、書き込み範囲が限られたり、順番待ちによるタイムラグが生じるため、使い勝手がよくない。ここではむしろ、参加者は電子文書に対し、他の参加者の編集作業を妨げることなく各々自身の編集作業を行えるとともに、他の参加者の同時並行的な編集内容も併せてリアルタイムに反映され閲覧できることが望ましい。
【００１０】
本発明では上記のような点に鑑みて、複数のユーザによって１の電子文書の編集作業を行う際、各ユーザは各々自身の編集作業を行えるとともに、他のユーザの同時並行的に行われる編集内容も併せて閲覧できる文書管理装置、文書編集方法及びプログラムを提供することを目的とする。
【課題を解決するための手段】
【００１１】
上記課題を解決するため、本発明に係る文書管理装置は、電子文書に対し編集を行う複数の端末と接続され、文書蓄積部に蓄積された前記電子文書を管理する文書管理装置であって、複数の端末から１の電子文書に対する編集開始要求を受けると、該電子文書の画像ファイルと、該電子文書の画像ファイルと同一の画像領域を有する作業用ファイルとを複数の端末毎に生成するレイヤファイル生成手段と、前記電子文書の画像ファイルと、端末毎に対応付けた前記作業用ファイルとを記憶・管理するレイヤファイル管理手段と、前記レイヤファイル管理手段により記憶・管理されている前記電子文書の画像ファイルと、全ての端末毎の前記作業用ファイルとを重畳して合成することにより、第１の表示用ファイルを生成する表示用ファイル生成手段と、前記複数の端末に対し、生成した前記第１の表示用ファイルを送信する送信手段と、いずれかの前記端末により前記第１の表示用ファイルの編集がなされ該端末から更新データを受信すると、更新要求元の端末と対応付けて記憶・管理している作業用ファイルに対し更新データを追加することにより、該作業用ファイルを更新する作業用ファイル更新手段と、を有し、前記表示用ファイル生成手段は、前記レイヤファイル管理手段により記憶・管理されている前記電子文書の画像ファイルと、前記作業用ファイル更新手段により更新した作業用ファイルを含む全ての端末毎の作業用ファイルとを重畳して合成することにより、第２の表示用ファイルを生成し、前記送信手段は、前記複数の端末に対し、前記第２の表示用ファイルを送信すること、を特徴とする。
【００１２】
また上記課題を解決するため、上記文書管理装置は、前記表示用ファイル生成手段は、前記電子文書の画像ファイルの画像領域と、全ての端末毎の前記作業用ファイルの画像領域とを重畳して合成することにより、全ての前記画像領域に描画された全画像を含む表示用ファイルを生成すること、を特徴とする。
【００１３】
また上記課題を解決するため、上記文書管理装置は、前記編集開始要求を行った前記複数の端末から１の前記電子文書に対する編集終了通知を受けると、前記レイヤファイル管理手段により記憶・管理されている前記電子文書の画像ファイルと、前記作業用ファイル更新手段により更新した作業用ファイルを含む全ての端末毎の作業用ファイルとを透過させて重ね合わせることにより、編集後の電子文書を生成し、該編集後の電子文書を前記１の電子文書に差換えて、前記文書蓄積部に保存する保存手段と、を有することを特徴とする。
【００１４】
また上記課題を解決するため、上記文書管理装置は、前記保存手段は、前記レイヤファイル管理手段により記憶・管理されている前記電子文書の画像ファイルを前記文書蓄積部に保存し、さらに前記作業用ファイル更新手段により更新した作業用ファイルを含む全ての端末毎の作業用ファイルのそれぞれを端末毎に対応付けて前記文書蓄積部に保存し、前記表示用ファイル生成手段は、前記文書蓄積部に保存されている該電子文書の画像ファイルと、いずれか１の端末に対応付けられた１の該作業用ファイルとを重畳して合成することにより、第３の表示用ファイルを生成し、前記送信手段は、前記複数の端末に対し、前記第３の表示用ファイルを送信すること、を特徴とする。
【００１５】
なお、本発明の構成要素、表現または構成要素の任意の組合せを、方法、装置、システム、コンピュータプログラム、記録媒体、などに適用したものも本発明の態様として有効である。
【発明の効果】
【００１６】
本発明によれば、複数のユーザによって１の電子文書の編集作業を行う際、各ユーザは各々自身の編集作業を行えるとともに、他のユーザの同時並行的に行われる編集内容も併せて閲覧できる文書管理装置、文書編集方法及びプログラムを提供することができる。
【図面の簡単な説明】
【００１７】
【図１】本実施形態に係るシステム構成図である。
【図２】文書管理サーバ１の一実施形態の主要構成を示すハードウェア構成図である。
【図３】文書管理サーバ１及び端末２の一実施形態の主要機能を示す機能ブロック図である。
【図４】編集対象の文書ファイル取得・表示を説明するシーケンス図である。
【図５】端末２ａ〜２ｄの表示画面例（その１）を示す。
【図６】編集対象の文書ファイルの編集開始準備を説明するシーケンス図である。
【図７】生成されたレイヤファイル例（その１）を示す。
【図８】レイヤファイルの合成例を示す。
【図９】レイヤファイルの合成結果例（その１）を示す。
【図１０】編集対象の文書ファイルの編集処理を説明するシーケンス図である。
【図１１】端末２ａ編集例を示す。
【図１２】生成されたレイヤファイル例（その２）を示す。
【図１３】レイヤファイルの合成結果例（その２）を示す。
【図１４】端末２ｂ編集例を示す。
【図１５】生成されたレイヤファイル例（その３）を示す。
【図１６】レイヤファイルの合成結果例（その３）を示す。
【図１７】端末２ａ〜２ｄの表示画面例（その２）を示す。
【図１８】編集対象の文書ファイルの更新（保存）処理を説明するシーケンス図である。
【図１９】編集終了通知時点のレイヤファイル例（その４）を示す。
【発明を実施するための形態】
【００１８】
以下、本発明を実施するための形態を各実施形態において図面を用いて説明する。
【００１９】
[システム構成]
（全体構成）
はじめに、具体的な発明の内容を説明する前に、本発明を実施するにあたっての全体構成について説明する。図１は、本実施形態に係るシステム構成図である。図に示されるように、本実施形態に係る文書管理システム１００は、文書管理サーバ１及び端末２が、ネットワーク３を介し接続される。
【００２０】
文書管理サーバ１は、文書ＤＢ（Data Base）に格納されている電子文書や属性情報（文書プロパティ）を管理することにより、文書を管理するサーバである。ユーザの端末２からの要求に従って、文書ファイル、文書検索機能、文書編集機能等を提供する。本実施形態に係る端末２おいては、後述する通り、電子文書を取得、表示し、その電子文書に対し編集作業を行うので、端末２から文書管理サーバ１にアクセスし、文書ＤＢ内の電子文書を呼び出すことにより端末２の表示装置に表示できる。また、電子文書に対し編集作業（書き込み等）を行う場合には、端末２は文書ＤＢ内の電子文書に対してその編集内容を書き込んでいく。またこの文書管理サーバ１は、例えば社内ＬＡＮ内や外部のデータセンター等に設置されうる。
【００２１】
端末２は、ユーザが操作する文書表示（閲覧）及び編集作業用のクライアント端末である。ユーザは端末２を操作して文書管理サーバ１にアクセスし、文書ファイルの登録（アップロード）、更新（編集、削除、移動、コピー等）、検索、表示、取得（ダウンロード）、又はフォルダの作成等を行うことができる。
【００２２】
本実施形態に係る端末２おいては、後述する通り、電子文書を取得、表示し、その電子文書に対し編集作業を行うので、作業のし易さを考慮し、端末２は、例えばスマートデバイス２ａであると望ましい。この場合、ユーザはスマートデバイス２ａに表示された電子文書に対し、例えばタッチペンを使って簡単に編集作業（書き込み等）を行うことができる。勿論、端末２は、携帯電話（端末２ｂ）、ノートＰＣ（端末２ｃ）、デスクトップ（端末２ｄ）を用いることも可能である。従って端末２の入力装置としては、文字や数字を入力するためのキーボードやマウスのほか、指やスタイラス等を使用して画面上のカーソルの移動やアイコンの選択等を実現するタッチパネルを採用することもできる。
【００２３】
ネットワーク３は、文書管理サーバ１と端末２を接続するネットワーク（有線、無線含む）である。文書管理サーバ１が例えば社内に位置する場合はＬＡＮであり、外部に位置する場合はＷＡＮで実現されうる。
【００２４】
なお本システム構成において、さらに会議システム（非図示）を含むように構成することもできる。この場合、端末２は、電子会議を行う会議用端末として機能する。端末２は会議システムにログインすると、全端末２には共有画面が表示されるとともに、発言・音声も伝わってくるので、ユーザは共有画面に表示されている電子文書を見ながら会議を進行していく。電子文書に関する処理は文書管理システム１００が担うため、会議システムと文書管理システム１００とが連携して動作するようになっており、例えば文書管理サーバ１は、端末２の共有画面に表示される電子文書の提供や、電子文書に対する編集（書き込み等）の処理を担うことになる。但し本実施形態においては、電子文書に対する編集に対し焦点を当てるため、会議システムとの連携の詳細は省略する。
【００２５】
（ハードウェア）
ここで、本実施形態に係る文書管理サーバ１のハードウェア構成について説明しておく。図２は、文書管理サーバ１の一実施形態の主要構成を示すハードウェア構成図である。文書管理サーバ１は、主要な構成として、ＣＰＵ１１、ＲＯＭ（Read Only Memory）１２、ＲＡＭ（Random Access Memory）１３、補助記憶装置１４、記憶媒体読取装置１５、入力装置１６、表示装置１７、及び通信装置１８を含む構成である。
【００２６】
ＣＰＵ１１は、マイクロプロセッサ及びその周辺回路から構成され、装置全体を制御する回路である。また、ＲＯＭ１２は、ＣＰＵ１１で実行される所定の制御プログラム（ソフトウェア部品）を格納するメモリであり、ＲＡＭ１３は、ＣＰＵ１１がＲＯＭ１２に格納された所定の制御プログラム（ソフトウェア部品）を実行して各種の制御を行うときの作業エリア（ワーク領域）として使用するメモリである。
【００２７】
補助記憶装置１４は、汎用のＯＳ（Operating System）、プログラムを含む各種情報を格納する装置であり、不揮発性の記憶装置であるＨＤＤ（Hard Disk Drive）などが用いられる。また補助記憶装置１４内において、文書ＤＢ１０１、ユーザＤＢ１０２を構築することも可能である。記憶媒体読取装置１５には、ＵＳＢメモリ等の携帯型メディアをセットすることで、外部からの情報を取得できる。
【００２８】
なお、上記各種情報は、補助記憶装置１４以外にも、ＣＤ−ＲＯＭ（Compact Disk - ROM）やＤＶＤ（Digital Versatile Disk）、ＵＳＢメモリ等の携帯型メディアなどの各種記憶媒体やその他のメディアに記憶されてもよく、これらの記憶媒体に格納された各種情報は、記憶媒体読取装置１５などのドライブ装置を介して読み取ることが可能である。
【００２９】
入力装置１６は、ユーザが各種入力操作を行うための装置である。入力装置１６は、マウス、キーボード、表示装置１７の表示画面上に重畳するように設けられたタッチパネルスイッチなどを含む。表示装置１７は、各種データを表示画面に表示する装置である。例えば、ＬＣＤ(Liquid Crystal Display)、ＣＲＴ(Cathode Ray Tube)などから構成される。
【００３０】
通信装置１８は、ネットワーク３を介して他の機器との通信を行う装置である。有線ネットワークや無線ネットワークなど含む各種ネットワーク形態に応じた通信をサポートする。
【００３１】
なお端末２は、上述の如くスマートデバイス、携帯電話、ＰＣ等のクライアント端末であり図２と同様の構成で実現できるためその説明は省略する。
【００３２】
（機能）
次に、文書管理サーバ１及び端末２の機能構成について説明する。図３は、文書管理サーバ１及び端末２の一実施形態の主要機能を示す機能ブロック図である。
【００３３】
文書管理サーバ１は、主要な機能として、記憶部１０１、文書ファイル提供部１０２、レイヤファイル生成部１０３、レイヤファイル管理部１０４、表示用ファイル生成部１０５、送信部１０６、更新部１０７、保存部１０８を含む構成である。
【００３４】
記憶部１０１は、文書ＤＢを記憶する。文書ＤＢには、文書管理サーバ１の管理下にある電子文書や属性情報（文書プロパティ）が格納されている。
【００３５】
文書ファイル提供部１０２は、端末２に対し文書ファイルを提供する。端末２は、文書閲覧端末であるので、ユーザは端末２を操作して文書管理サーバ１にアクセスし、閲覧したい文書ファイルを取得（ダウンロード）することができる。
【００３６】
レイヤファイル生成部１０３は、複数の端末２から同一の電子文書に対する編集開始要求を受けると、該電子文書の画像ファイルと、該電子文書の画像ファイルと同一の画像領域を有する作業用ファイルを複数の端末毎に生成する。例えば４つの端末２ａ〜２ｄから同一の電子文書に対する編集開始要求を受けると、編集対象の電子文書の画像ファイルを１つ生成する。電子文書が既に画像ファイルであれば、その電子文書の画像領域サイズを端末２の画面サイズ相当にしたものを新たに生成する。電子文書がベクター情報等からなる文書ファイルであれば、文書ファイルを画像ファイルに変換し、またその電子文書の画像領域サイズを端末２の画面サイズ相当にしたものを新たに生成する。また端末２ａ〜２ｄ用の作業用ファイルを端末毎にそれぞれ生成する（４つ）。作業用ファイルの画像領域は、先の電子文書の画像ファイルと同一の画像領域サイズとし、その画像領域内には画像は描かれていない空画像のものを生成する。この点、具体例を挙げて再度後述する。
【００３７】
レイヤファイル管理部１０４は、レイヤファイル生成部１０３により生成された電子文書の画像ファイルを記憶・管理する。また併せて、複数の端末毎の作業用ファイルを、端末毎に対応付けて記憶・管理する。上述のレイヤファイル生成部１０３では、端末２ａ〜２ｄ用の作業用ファイルが端末毎にそれぞれ生成された。よって対応付けは、端末２ａ／作業用ファイルａ、端末２ｂ／作業用ファイルｂ、端末２ｃ／作業用ファイルｃ、端末２ｄ／作業用ファイルｄというように、どの作業用ファイルがどの端末のものであるかを管理するものである。なお、この対応付けは電子文書に対する編集開始から編集終了の間のみ管理すればよいので、例えば一時メモリ（ＲＡＭ１３等）で記憶・管理するとよい。
【００３８】
表示用ファイル生成部１０５は、レイヤファイル管理部１０４により記憶・管理されている電子文書の画像ファイルと、全ての端末毎の作端末２ａ〜２ｄ用の作業用ファイル業用ファイルとを重畳して合成することにより、表示用ファイルを生成する。上述のレイヤファイル管理部１０４では、電子文書の画像ファイル（１つ）と、端末２ａ〜２ｄ用の作業用ファイル（４つ）との計５つのファイルが記憶・管理されており、この５つのファイルを透過的に重ね合わせて１のファイルに合成する。合成された１のファイルが表示用ファイルである。この点、詳細は再度後述する。
【００３９】
送信部１０６は、複数の端末に対し、表示用ファイル生成部１０５により生成した表示用ファイルを送信する。上述の場合、端末２ａ〜２ｄの４つの端末に対し、この表示用ファイルを送信する。全端末には同じ表示用ファイルが送信されるので、端末２ａ〜２ｄのビューア部２０１には、同一の表示画像が表示されることになる。
【００４０】
更新部１０７は、いずれかの端末により表示用ファイルの編集がなされ、その端末から更新データを受信すると、更新要求元の端末と対応付けて記憶・管理している作業用ファイルに対し更新データを追加することにより、該作業用ファイルを更新する。例えば端末２ａ〜２ｄのうち、端末ａにおいて表示用ファイルの編集がなされ、端末ａから更新データを受信すると、端末ａ用の作業用ファイルを更新する。なお更新後は、表示用ファイル生成部１０５により、電子文書の画像ファイルと、全ての端末毎の作業用ファイル（端末ａ用の作業用ファイルは更新済み）とから表示用ファイルが生成され、全端末２ａ〜２ｄに送信される。そしてまた全端末２ａ〜２ｄのビューア部２０１には、端末２ａの編集内容が反映された同一の表示画像が表示される。
【００４１】
保存部１０８は、編集開始要求を行った複数の端末から１の電子文書に対する編集終了通知を受けると、その時点においてレイヤファイル管理部１０４により記憶・管理されている電子文書の画像ファイルと、端末毎の作業用ファイルとを重畳して合成することにより、編集後の電子文書を生成し、該編集後の電子文書を１の電子文書に差換えて、文書ＤＢに保存する。要するに、全端末からの編集を反映してから、電子文書の編集（更新）を完了させる。
【００４２】
次に、端末２は、主要な機能として、ビューア部（表示部）２０１、編集部２０２を含む構成である。
【００４３】
ビューア部２０１は、例えば端末２が専用ビューアや汎用のＷｅｂブラウザをビューアとして、文書の表示を行う。文書管理サーバ１からの表示情報（文書ファイルや表示用ファイル等）を受信し、ビューア上に表示する。
【００４４】
編集部２０２は、ビューア部２０１に表示されている表示画像に対する編集を行う。本実施形態に係る端末２おいては、電子文書を取得、表示し、その電子文書に対し編集作業を行う。例えば端末２ａ（スマートデバイス）に表示された電子文書に対し、例えばタッチペンを使って簡単に編集作業（書き込み等）を行う。このとき編集部２０２は、書き込みされた書き込み画像を更新データとして、文書管理サーバ１に送信する。
【００４５】
なお、以上説明したこれらの機能は、実際にはＣＰＵ１１が実行するプログラムにより実現される。
【００４６】
[情報処理]
以下、本実施形態に係る文書管理システム１００の情報処理を具体的に説明する。ここでは、以下のストーリを設定したうえで、そのストーリ毎の各ステップに沿って説明していくものとする。
・端末２ａ〜２ｄはまず編集対象の文書ファイルを取得し表示する。
・端末２ａ〜２ｄはその文書に対し編集開始要求を行い、文書管理サーバ１は編集開始準備を行う。
・端末２ａ〜２ｄはその文書に対し各端末が編集作業を行う。
・端末２ａ〜２ｄは編集作業が完了すると編集終了通知を行う。文書管理サーバ１は編集内容を反映して文書ファイルを更新（保存）する。
【００４７】
（ステップＡ）
図４は、編集対象の文書ファイル取得・表示を説明するシーケンス図である。
【００４８】
Ｓ１：端末２は、まず文書管理サーバ１に対し文書取得要求を行う。このとき文書ファイル名を併せて指定する。ここでは、文書ファイル名「XXX.jpeg」とする。
【００４９】
Ｓ２：文書管理サーバ１（文書ファイル提供部１０２）は、文書取得要求を受けると、文書ＤＢから該当する文書ファイルを取得し、要求元に対し文書ファイルを提供する。
【００５０】
Ｓ３：端末２は、文書ファイルを取得すると、ビューア部２０１にてその文書ファイルを表示する。以上Ｓ１〜３について、端末２ａ〜２ｄそれぞれが実施する。
【００５１】
図５は、端末２ａ〜２ｄの表示画面例（その１）を示す。図に示されるように、「XXX.jpeg」は、Ｔシャツデザインの画像が描かれており、各端末では、同一の画像が表示されている。例えば各端末のユーザは、文書管理サーバ１の文書ＤＢから「XXX.jpeg」を呼出して、試作品として出来上がったＴシャツデザインを確認する。
【００５２】
なお、各端末２ａ〜２ｄは文書管理システム１００に登録されている正規ユーザであり、予め文書管理サーバ１に対しそれぞれがログイン済みであるものとする。
【００５３】
（ステップＢ）
図６は、編集対象の文書ファイルの編集開始準備を説明するシーケンス図である。
【００５４】
Ｓ１１：端末２は、通常（表示）モードから編集モードへ移行すべく、文書の編集開始を操作する。例えば各端末２において、「編集」メニューから編集開始を行うことができる（図５）。
【００５５】
Ｓ１２：文書の編集開始の操作をトリガーとして、端末２は文書管理サーバ１に対し文書の編集開始要求を行う。文書管理サーバ１は、表示中の文書ファイル「XXX.jpeg」を編集開始対象の文書ファイルとして認識する。以上Ｓ１１〜１２について、端末２ａ〜２ｄそれぞれが実施する。全端末２ａ〜２ｄにて同時並行的に編集作業を行うためである
なお、文書管理サーバ１が今回編集を行う端末が端末２ａ〜２ｄの４つである（他に端末２ｅは不存在）、と認識できるかについては、例えばログイン時、端末２ａ〜２ｄの４つをグループ化しておく方法や、例えば端末２ａが「編集」メニューから編集開始を行う際、オプション設定にて端末２ｂ〜２ｄを含む４つの端末２をグループ化する方法等がある。また、各端末２は通常（表示）モードから編集モードへ移行すると述べたが、１の電子ファイルに対し複数のメンバーにて同時並行的に編集を行うということからすると、むしろグループ編集モードへ移項するということもできる。
【００５６】
Ｓ１３：文書管理サーバ１（レイヤファイル生成部１０３）は、グループ中の全端末２ａ〜２ｄから編集開始要求を受けると、文書ＤＢから該当する文書ファイル「XXX.jpeg」を取得する。
【００５７】
Ｓ１４：文書管理サーバ１（レイヤファイル生成部１０３）は、電子文書の画像ファイルと、該電子文書の画像ファイルと同一の画像領域を有する作業用ファイルを複数の端末毎に生成する。ここで生成された画像ファイル及び作業用ファイルをまとめてレイヤファイルと呼ぶ。
【００５８】
図７は、生成されたレイヤファイル例（その１）を示す。レイヤファイル生成部１０３は、まず電子文書の画像ファイルを生成する。電子文書「XXX.jpeg」は既に画像ファイルであるので、その電子文書の画像領域サイズを端末２の画面サイズ相当にしたものを１つ生成する（画像ファイルＸ）。画像ファイルＸには、「XXX.jpeg」の画像がそのまま描かれることになるので、図の通り、画像領域内（図中、点線枠）においてＴシャツデザインの画像が描かれていることになる。
【００５９】
次にレイヤファイル生成部１０３は、電子文書の画像ファイルと同一の画像領域を有する作業用ファイルを複数の端末毎に生成する。ここでは端末２ａ〜２ｄ用の作業用ファイルを端末毎にそれぞれ生成する。作業用ファイルの画像領域は、先の電子文書の画像ファイルと同一の画像領域サイズとし、その画像領域内には画像は描かれていない空画像のものを生成する。その結果図の通り、「端末２ａ用の作業用ファイル」、「端末２ｂ用の作業用ファイル」、「端末２ｃ用の作業用ファイル」、「端末２ｄ用の作業用ファイル」が生成される。
【００６０】
Ｓ１５：文書管理サーバ１（レイヤファイル管理部１０４）は、レイヤファイル生成部１０３により生成された電子文書の画像ファイルを記憶・管理する。また併せて、複数の端末毎の作業用ファイルを、端末毎に対応付けて記憶・管理する。例えば一時メモリ（ＲＡＭ１３等）で記憶・管理するとよい。具体的にここでは、「画像ファイルＸ」、「端末２ａ用の作業用ファイル」、「端末２ｂ用の作業用ファイル」、「端末２ｃ用の作業用ファイル」、「端末２ｄ用の作業用ファイル」が一時メモリに記憶される。
【００６１】
Ｓ１６：文書管理サーバ１（表示用ファイル生成部１０５）は、レイヤファイル管理部１０４により記憶・管理されている電子文書の画像ファイルと、全ての端末毎の作業用ファイルとを重畳して合成することにより、表示用ファイルを生成する。ここでは、「画像ファイルＸ」、「端末２ａ用の作業用ファイル」、「端末２ｂ用の作業用ファイル」、「端末２ｃ用の作業用ファイル」、「端末２ｄ用の作業用ファイル」の計５つのファイルを透過的に重ね合わせて１のファイルに合成する。そしてここで合成された１のファイルが、各端末２に対し送信される表示用ファイルである。
【００６２】
図８は、レイヤファイルの合成例を示す。図に示されるように、最下段に「画像ファイルＸ」を置き、上方に各作業用ファイルを重ね合わせて、１のファイルに合成する。
【００６３】
図９は、レイヤファイルの合成結果例（その１）を示す。図に示されるように、合成された１のファイルは、上方から見ると、最下段の「画像ファイルＸ」の画像が透けて見えている。ここでは各作業用ファイルは空画像であるので、特段何らかの画像が見えることはない。なおここで合成された１のファイルは、表示用ファイルとなる。
【００６４】
Ｓ１７：文書管理サーバ１（送信部１０６）は、全端末２ａ〜２ｄに対し、表示用ファイル生成部１０５により生成した１の表示用ファイルを送信する。
【００６５】
Ｓ１８：端末２（ビューア部２０１）は、表示用ファイルを受信すると、例えば端末２が専用ビューアや汎用のＷｅｂブラウザをビューアとして、表示用ファイルの表示を行う。全端末には同じ表示用ファイルが送信されるので、端末２ａ〜２ｄのビューア部２０１には、同一の表示画像が表示されることになるが、ここでの表示用ファイルは、実質「XXX.jpeg」（Ｔシャツデザインの画像）と変わりはないため、各端末２ａ〜２ｄの表示画面としては、図５と同じになる。つまり、ユーザが編集開始操作を行っても、その時点においては端末２ａ〜２ｄの表示画面に変わりはないことになる。
【００６６】
（ステップＣ）
図１０は、編集対象の文書ファイルの編集処理を説明するシーケンス図である。図１０（ａ）は端末２ａの編集処理、図１０（ｂ）は端末２ｂの編集処理を示し、順番に以下説明する。
【００６７】
Ｓ２１：端末２ａ（編集部２０２）は、編集モード移行後、表示画面の画像に対し編集作業を行う。ここでは端末２ａ〜２ｄのうち端末２ａ（スマートデバイス）が編集作業を行うものとし、表示されたＴシャツデザインの画像に対し、例えばタッチペンを使って簡単に編集作業（書き込み等）を行う。
【００６８】
Ｓ２２：端末２ａ（編集部２０２）は、書き込みされた書き込み画像を更新データとして、文書管理サーバ１に送信する。送信タイミングは、逐一（一定時間毎）であるが、実際上はユーザがリアルタイムで更新されていると感じる程度の非常に短い間隔となる。
【００６９】
図１１は、端末２ａ編集例を示す。図に示されるようにここでは、端末２ａにおいてユーザは表示されたＴシャツデザインの画像に対し、例えばタッチペンを使って書き込みを行う。書き込まれた画像は更新データとして、逐一、文書管理サーバ１に送信される。
【００７０】
Ｓ２３：文書管理サーバ１（更新部１０７）は、ここでは端末２ａ〜２ｄのうち、端末２ａにより編集作業がなされ端末２ａから更新データを受信すると、更新要求元の端末２ａと対応付けて記憶・管理している端末２ａ用の作業用ファイルに対し更新データを追加することにより、端末２ａ用の作業用ファイル（のみ）を更新する。
【００７１】
Ｓ２４：文書管理サーバ１（表示用ファイル生成部１０５）は、端末２ａ用の作業用ファイル更新後、電子文書の画像ファイルと、全ての端末毎の作業用ファイル（端末２ａ用の作業用ファイルは更新済み）とから表示用ファイルを再び生成する。
【００７２】
図１２は、生成されたレイヤファイル例（その２）を示す。図７と比べ、「端末２ａ用の作業用ファイル」には、更新データが反映されており、図８と同様の要領により、最下段に「画像ファイルＸ」を置き、上方に各作業用ファイルを重ね合わせて、１のファイルに合成する。
【００７３】
図１３は、レイヤファイルの合成結果例（その２）を示す。図に示されるように、合成された１のファイルは、上方から見ると、最下段の「画像ファイルＸ」の画像が透けて見えている。またここでは端末２ａ用の作業用ファイルは画像を含むので、「画像ファイルＸ」の画像と、端末２ａ用の作業用ファイルの画像とが重畳された画像が見える。ここで合成された１のファイルは、再び全端末２ａ〜２ｄへ送信する表示用ファイルとなる。
【００７４】
Ｓ２５：文書管理サーバ１（送信部１０６）は、全端末２ａ〜２ｄに対し、生成した１の表示用ファイルを再び送信する。
【００７５】
Ｓ２６：端末２（ビューア部２０１）は、表示用ファイルを受信すると、表示用ファイルの表示を行う。全端末には同じ表示用ファイルが送信されるので、端末２ａ〜２ｄのビューア部２０１には、図１３と同一の表示画像が表示されることになる。
【００７６】
Ｓ３１：ところで一方において、端末２ｂ（編集部２０２）は、編集モード移行後、表示画面の画像に対し編集作業を行う。ここでは端末２ｂが編集作業を行うもととし、表示されたＴシャツデザインの画像に対し、例えばタッチペンを使って簡単に編集作業（書き込み等）を行う。
【００７７】
Ｓ３２：端末２ｂ（編集部２０２）は、書き込みされた書き込み画像を更新データとして、文書管理サーバ１に送信する。
【００７８】
図１４は、端末２ｂ編集例を示す。図に示されるようにここでは、端末２ｂにおいてユーザは表示されたＴシャツデザインの画像に対し、例えばタッチペンを使って書き込みを行う。書き込まれた画像は更新データとして、逐一、文書管理サーバ１に送信される。
【００７９】
Ｓ３３：文書管理サーバ１（更新部１０７）は、ここでは端末２ａ〜２ｄのうち、端末２ｂにより編集作業がなされ端末２ｂから更新データを受信すると、更新要求元の端末２ｂと対応付けて記憶・管理している端末２ｂ用の作業用ファイルに対し更新データを追加することにより、端末２ｂ用の作業用ファイル（のみ）を更新する。
【００８０】
Ｓ２４：文書管理サーバ１（表示用ファイル生成部１０５）は、端末２ｂ用の作業用ファイル更新後、電子文書の画像ファイルと、全ての端末毎の作業用ファイル（端末２ｂ用の作業用ファイルは更新済み）とから表示用ファイルを再び生成する。
【００８１】
図１５は、生成されたレイヤファイル例（その３）を示す。「端末２ｂ用の作業用ファイル」には、更新データが反映されており、図８と同様の要領により、最下段に「画像ファイルＸ」を置き、上方に各作業用ファイルを重ね合わせて、１のファイルに合成する。
【００８２】
図１６は、レイヤファイルの合成結果例（その３）を示す。図に示されるように、合成された１のファイルは、上方から見ると、最下段の「画像ファイルＸ」の画像が透けて見えている。またここでは端末２ｂ用の作業用ファイルは画像を含むので、「画像ファイルＸ」の画像と、端末２ｂ用の作業用ファイルの画像とが重畳された画像が見える。なおここで合成された１のファイルは、再び全端末２ａ〜２ｄへ送信する表示用ファイルとなる。
【００８３】
以上では説明の便宜上、図１０（ａ）及び（ｂ）において、端末２ｂの編集処理端末２ａと端末２ｂはそれぞれで編集作業を行っているが、これら編集作業は同時並行的に行うことが可能である。各端末２において編集作業が行われると、更新データは逐一、文書管理サーバ１に送信されると、再び表示用ファイルが全端末２に対し送信される。このため各端末２からすると、他の端末２の更新作業（更新データ）は逐一自端末２の表示画面に反映されるので、全ユーザは自身が編集作業中であっても、併せて他の端末の編集内容をリアルタイムに把握することができる。
【００８４】
図１７は、端末２ａ〜２ｄの表示画面例（その２）を示す。図に示されるように、端末２ａにおいて編集作業が進行中であるとともに、端末２ｂにおいても編集作業が進行中である。このとき、各端末では、同一の画像が表示されているので、全ユーザは自身が編集作業中であっても、併せて他の端末の編集内容をリアルタイムに把握することができる。
【００８５】
（ステップＤ）
図１８は、編集対象の文書ファイルの更新（保存）処理を説明するシーケンス図である。
【００８６】
Ｓ４１：端末２は、編集モードへ終了すべく文書の編集終了を操作する。例えば各端末２において、「編集」メニューから編集終了を行うことができる（図５）。
【００８７】
Ｓ４２：文書の編集終了の操作をトリガーとして、端末２は文書管理サーバ１に対し文書編集終了通知を行う。以上Ｓ４１〜４２について、端末２ａ〜２ｄそれぞれが実施する。全端末２ａ〜２ｄにて編集作業を終了させるためである。
【００８８】
Ｓ４３：文書管理サーバ１（保存部１０８）は、編集開始要求を行った全端末２ａ〜２ｄから電子文書「XXX.jpeg」に対する編集終了通知を受けると、その時点においてレイヤファイル管理部１０４により記憶・管理されている電子文書の画像ファイルと、全端末毎の作業用ファイルとを重畳して合成することにより、編集後の電子文書を生成する。
【００８９】
図１９は、編集終了通知時点のレイヤファイル例（その４）を示す。編集終了通知を受けたとき、仮に図１９に示される状態であったとすると、「画像ファイルＸ」、「端末２ａ用の作業用ファイル」、「端末２ｂ用の作業用ファイル」、「端末２ｃ用の作業用ファイル」、「端末２ｄ用の作業用ファイル」の計５つのファイルを透過的に重ね合わせて１のファイルに合成する。合成された１のファイルが編集後の電子文書「XXX.jpeg」である（図１６）。
【００９０】
Ｓ４４：文書管理サーバ１（保存部１０８）は、編集後の電子文書「XXX.jpeg」を編集前の電子文書「XXX.jpeg」に差換えて、文書ＤＢに保存する。要するに、全端末２ａ〜２ｄからの全編集内容を反映してから、電子文書「XXX.jpeg」の編集（更新）を完了させる。
【００９１】
以上、本実施形態に係る文書管理システム１００の情報処理を説明した。従来、会議の場においては、会議室の前方中央にはホワイトボードや黒板等が備え付けられており、発表者はホワイトボードに議題や会議内容をホワイトボードにペンを使って手書きで書き込みながら会議を進行してきた。またときに複数の参加者はホワイトボードの書き込みを見ながら議論を行い、またアイディアを出しながら、複数の参加者が同時並行的にホワイトボードに書き込みを行っていくことができた。本実施形態に係る文書管理システム１００においても同様に、複数の端末２において同時並行的に編集作業を行うことができる。各端末２では、同一の画像がリアルタイムに表示されているので、全ユーザは他の端末の編集内容の書き込みを見ながら議論を行い、またアイディアを出しながら、複数のユーザが同時並行的に各端末２の表示画像に書き込みを行っていくことが可能である。
【００９２】
[変形例]
以下、上述の実施形態の変形例について言及しておく。上述の文書管理サーバ１は、レイヤファイル生成部１０３にてレイヤファイル（電子文書の画像ファイル、端末毎の作業用ファイル）を生成してから、レイヤファイル管理部１０４にてレイヤファイルを記憶・管理した。そしてその後、表示用ファイル生成部１０においては、全レイヤファイルを重畳して合成することにより表示用ファイルを生成した。しかしながら、変形例として、端末２側に、この表示用ファイル生成部１０５相当の機能を持たせるように構成することも可能である。
【００９３】
この場合、文書管理サーバ１は、レイヤファイルを合成せずに全端末２に送信する。つまり、文書管理サーバ１のレイヤファイル管理部１０４では、電子文書の画像ファイル（１つ）と、端末２ａ〜２ｄ用の作業用ファイル（４つ）との計５つのファイルが生成され記憶・管理されている場合、文書管理サーバ１は、この計５つのファイルのまま全端末２に送信する。端末２は、受信したこの計５つのファイルをビューア上でファイルを透過的に重ね合わせて１のファイルの如く表示する（例えば図５に同じ）。
【００９４】
端末２側で編集作業が行われると、更新データが文書管理サーバ１に送信され、文書管理サーバ１は、対応する端末の作業ファイルのみを更新し、その更新した作業ファイルのみを全端末２に送信する。全端末２は、受信した作業ファイルを、その作業ファイルに対応付けられている作業ファイルと差換える。具体的に、端末２ａで編集作業が行われると、更新データが文書管理サーバ１に送信され、文書管理サーバ１は、端末２ａの作業ファイルのみを更新し、その更新した端末２ａ用の作業ファイルのみを全端末２に送信する。全端末２は、既に保持している端末２ａ用の作業ファイルを、新たに受信した端末２ａ用作業ファイルと差換える（例えば図１７に同じ）。
【００９５】
これにより上述の実施形態と同様の結果・効果が得られることは勿論のこと、さらに通信量を削減でき、また各端末２側の表示処理等をも高速に行うことができる。
【００９６】
[補足：保存方法に関して]
上述の実施形態のステップＤにおいては、文書管理サーバ１（保存部１０８）は、編集開始要求を行った全端末２ａ〜２ｄから電子文書「XXX.jpeg」に対する編集終了通知を受けると、その時点においてレイヤファイル管理部１０４により記憶・管理されている電子文書の画像ファイルと、全端末毎の作業用ファイルとを重畳して合成することにより、編集後の電子文書を生成した（Ｓ４３）。またその後、文書管理サーバ１（保存部１０８）は、編集後の電子文書「XXX.jpeg」を編集前の電子文書「XXX.jpeg」に差換えて、文書ＤＢに保存した（Ｓ４４）。
【００９７】
ここでさらに、文書管理サーバ１（保存部１０８）は、別途、全端末毎の作業用ファイルのそれぞれを端末毎に対応付けて文書ＤＢに保存しておくようにする。例えば再び図１９を参照する。編集終了通知を受けたとき、図１９に示される状態であったとすると、まず「画像ファイルＸ」を文書ＤＢに保存しておく。また併せて「端末２ａ用の作業用ファイル」、「端末２ｂ用の作業用ファイル」、「端末２ｃ用の作業用ファイル」、「端末２ｄ用の作業用ファイル」の計４つの作業用ファイルは、それぞれ別途、端末毎に対応付けて文書ＤＢに保存しておく。
【００９８】
このように端末毎の作業用ファイルを保存しておくことで、各端末が編集を行った編集内容を端末毎に確認することができるようになる。つまり例えば、端末２ａ〜２ｄのいずれかのユーザが、端末２ａの行った編集内容を確認したい場合には、文書管理サーバ１が「画像ファイルＸ」及び「端末２ａ用の作業用ファイル」の２つを透過的に重ね合わせて１のファイルに合成する。そしてこの合成した１のファイルを端末に対し送信（提供）することにより、ユーザは端末２ａの行った編集内容だけを具体的に確認することが可能である。
【００９９】
以上のように、文書の画像ファイルと、全端末毎の作業用ファイルのそれぞれを端末毎に対応付けて文書ＤＢに保存しておくことにより、同時並行的に同一の電子文書に対し編集を行えるようにするとともに、端末毎に行われた編集内容を個々に確認できるようになっている。
【０１００】
[総括]
以上、本実施形態に係る文書管理システム１００においては、複数の端末２において同時並行的に編集作業を行うことができる。各端末２では、同一の画像がリアルタイムに表示されているので、全ユーザは他の端末の編集内容の書き込みを見ながら議論を行い、またアイディアを出しながら、複数のユーザが同時並行的に各端末２の表示画像に書き込みを行っていくことが可能である。
【０１０１】
即ち本実施形態によれば、複数のユーザによって１の電子文書の編集作業を行う際、各ユーザは各々自身の編集作業を行えるとともに、他のユーザの同時並行的に行われる編集内容も併せて閲覧できる文書管理装置等を提供することが可能となる。なお、本発明は係る特定の実施形態に限定されるものではなく、特許請求の範囲に記載された本発明の要旨の範囲内において、種々の変形・変更が可能である。
【符号の説明】
【０１０２】
１００    文書管理システム
１        文書管理サーバ
２        端末
３        ネットワーク
１１        ＣＰＵ
１２        ＲＯＭ
１３        ＲＡＭ
１４        補助記憶装置
１５        記憶媒体読取装置
１６        入力装置
１７        表示装置
１８        通信装置
１０１    記憶部
１０２    文書ファイル提供部
１０３    レイヤファイル生成部
１０４    レイヤファイル管理部
１０５    表示用ファイル生成部
１０６    送信部
１０７    更新部
１０８    保存部
２０１    ビューア部
２０２    編集部
【先行技術文献】
【特許文献】
【０１０３】
【特許文献１】特開平０６−００４５３４号
【特許文献２】特開２００５−２６７０２１号
【図１】
2012194625.tif 000003
【図２】
2012194625.tif 000004
【図３】
2012194625.tif 000005
【図４】
2012194625.tif 000006
【図５】
2012194625.tif 000007
【図６】
2012194625.tif 000008
【図７】
2012194625.tif 000009
【図８】
2012194625.tif 000010
【図９】
2012194625.tif 000011
【図１０】
2012194625.tif 000012
【図１１】
2012194625.tif 000013
【図１２】
2012194625.tif 000014
【図１３】
2012194625.tif 000015
【図１４】
2012194625.tif 000016
【図１５】
2012194625.tif 000017
【図１６】
2012194625.tif 000018
【図１７】
2012194625.tif 000019
【図１８】
2012194625.tif 000020
【図１９】
2012194625.tif 000021